(57)【要約】【課題】  本発明は、芳香性装身具（ピアス、イヤリング、ネックレス、ブレスレット、アンクレット等）の実情に鑑みてなされたものであり、軽く柔らかく装着感に優れ、大きさや厚さなどの形状選定の自由度が高い芳香性装身具を提供することを目的とする。【解決手段】  液体香料保持基材、及び装着部を備えた芳香性装身具（ピアス、イヤリング、ネックレス、ブレスレット、アンクレット等）であって、該液体香料保持基材が、熱可塑性樹脂繊維を含む多孔性シートであることを特徴とする、芳香性装身具。【選択図】  図１
2017189244.tif 000002
【特許請求の範囲】
【請求項１】
液体香料保持基材、及び装着部を備えた芳香性装身具であって、該液体香料保持基材が、熱可塑性樹脂繊維を含む多孔性シートであることを特徴とする、芳香性装身具。
【請求項２】
前記液体香料保持基材が、立体形状に成形されていることを特徴とする、請求項１に記載の芳香性装身具。
【請求項３】
前記液体香料保持基材の重量が３０〜３００ｇ／ｍ２、厚さが５０〜１０００μｍ、且つ面積が５０〜１００００ｍｍ２であることを特徴とする請求項１又は請求項２に記載の芳香性装身具。
【請求項４】
前記液体香料保持基材と装着部とを結合する取付部を備えていることを特徴とする、請求項１〜請求項３のいずれか一項に記載の芳香性装身具。
【請求項５】
前記熱可塑性樹脂繊維が、ポリエステル繊維を含むことを特徴とする、請求項１〜請求項４のいずれか一項に記載の芳香性装身具。
【請求項６】
前記液体香料保持基材が、糊剤を含有していることを特徴とする、請求項１〜請求項５のいずれか一項に記載の芳香性装身具。
【発明の詳細な説明】
【技術分野】
【０００１】
本発明は、芳香性装身具に関する。
【背景技術】
【０００２】
従来から、様々なアイディアに基づく、ピアスやイヤリング、ネックレス、ブレスレットやアンクレット等の装身具が開発されている。その一つとして、香水等の香りを放散させることができる装身具が提案されている。特許文献１あるいは特許文献２には、装身具本体に収納した多孔質のセラミックスや焼結金属に液体香料を保持させ、本体に設けた通気口を通して香りを徐放する装身具が提案されている。
【先行技術文献】
【特許文献】
【０００３】
【特許文献１】特開２０１０‐２７４００９号公報
【特許文献２】実用新案登録第３０００１８１号公報
【発明の開示】
【発明が解決しようとする課題】
【０００４】
しかしながら、上記特許文献に開示されている装身具は、液体香料を保持・徐放するセラミックや焼結金属からなる多孔質素材を使用しており、また、これらの多孔質素材を収納するためのケースが必要であるため、非常に重いものになり、疲労や頭痛の原因あるいは硬いため肌に当たって痛みを感じたりするなど、装着感が非常に悪いものであった。また、セラミックスや焼結金属は、１）破損しやすいため、薄く大きな形状の装身具には適さない、２）表面がざらざらしているため、服との接触により、服に毛玉や擦傷が発生する、３）加工できる形状が限定されるといった問題があった。
【０００５】
そこで、本発明は、芳香性装身具の実情に鑑みてなされたものであり、軽く柔らかく装着感に優れ、大きさや厚さなどの形状選定の自由度が高い芳香性装身具を提供することを目的とする。
【課題を解決するための手段】
【０００６】
本発明では、以下の〔１〕〜〔６〕を提供する。
〔１〕  液体香料保持基材、及び装着部を備えた芳香性装身具であって、該液体香料保持基材が、熱可塑性樹脂繊維を含む多孔性シートであることを特徴とする、芳香性装身具。
〔２〕  前記液体香料保持基材が、立体形状に成形されていることを特徴とする、〔１〕に記載の芳香性装身具。
〔３〕  前記液体香料保持基材の重量が３０〜３００ｇ／ｍ２、厚さが５０〜１０００μｍ、且つ面積が５０〜１００００ｍｍ２であることを特徴とする〔１〕又は〔２〕に記載の芳香性装身具。
〔４〕  前記液体香料保持基材と装着部とを結合する取付け部を備えていることを特徴とする、〔１〕〜〔３〕のいずれか一項に記載の芳香性装身具。
〔５〕  前記熱可塑性樹脂繊維が、ポリエステル繊維を含むことを特徴とする、〔１〕〜〔４〕のいずれか一項に記載の芳香性装身具。
〔６〕  前記液体香料保持基材が、糊剤を含有していることを特徴とする、〔１〕〜〔５〕のいずれか一項に記載の芳香性装身具。
【発明の効果】
【０００７】
本発明によれば、芳香性装身具の実情に鑑みてなされたものであり、軽く柔らかく装着感に優れ、大きさや厚さなどの形状選定の自由度が高い芳香性装身具を提供することができる。
【図面の簡単な説明】
【０００８】
【図１】本発明の芳香性装身具１（ピアス）を表した図である。
【図２】本発明の芳香性装身具２（ネックレス）を表した図である。
【発明を実施するための形態】
【０００９】
以下、本発明の実施の形態を詳細に説明する。
【００１０】
本発明の芳香性装身具は、液体香料を保持・徐放可能な液体保持基材とこの液体香料保持基材を使用者の体に取り付けるための装着部を有していることを特徴としている。なお、装着部は、液体香料保持基材に直接取り付けることも、装着部とは別の治具（取付部）を介して、液体香料保持基材に取り付けることもできる。
【００１１】
（液体香料保持基材について）
本発明において、液体香料保持基材は、熱可塑性繊維を含むシートであることが重要であり、その形状などは特に限定されるものではなく、例えば、織布、湿式あるいは乾式不織布、紙などの抄造物を例示することができる。熱可塑性繊維を含むことにより、軽量化できるとともに、十分な強度、熱プレスなどによる立体成形加工に優れた適性を発現する。なお、熱可塑性繊維の配合量は、液体香料保持基材を構成する全繊維に対して３０質量％以上とすることが、軽量化、強度、加工適性点から好ましい。
【００１２】
また、熱可塑性繊維を含むシートが多孔性であることが重要である。多孔性とすることで、液体香料を保持することが可能となる。なお、液体香料の保持性は熱可塑性繊維を構成する糸の太さや糸の打込み本数（1インチ当たりの糸の本数）等によりコントロール可能である。
【００１３】
本発明において、液体香料保持基材を構成する熱可塑性繊維としては、ポリエチレン繊維、ポリプロピレン繊維、アクリル繊維、ポリエステル繊維など挙げられるが、ポリエステル繊維を含むことが好ましい。また、所望の効果を阻害しない範囲で、製紙用に用いられる木材系パルプ、非木材系パルプ、再生セルロース繊維等を併用することができる。
木材パルプとして、例えば、針葉樹クラフトパルプ、広葉樹クラフトパルプ、溶解パルプ、マーセル化パルプ等がある。非木材系パルプとして、例えば、亜麻パルプ、マニラ麻パルプ、ケナフパルプ等がある。再生セルロース繊維として、例えば、ビスコースレーヨン、銅アンモニアレーヨン等がある。また、熱可塑性樹脂の配合量は、液体香料保持基材を構成する全繊維に対して３０質量％以上であることが好ましい。
【００１４】
本発明において、液体香料保持基材に、糊剤を含有することが好ましい。糊剤としては、糊剤としては、デンプン、カルボキシメチルセルロース、ポリビニルアルコール、ポリ酢酸ビニル、アクリル酸エステル共重合体、アクリル酸アルキルエステル共重合体、スチレン・アクリル酸エステル共重合体などが挙げられる。液体香料保持基材への糊剤の添加方法としては、上記の糊剤を含有する塗料を塗布・乾燥する方法などがある。糊剤を含有した液体香料保持基材は、成形加工後のその形状維持に優れた効果を発現する。糊剤の配合量は、液体香料保持基材の全繊維に対して、０．１〜１０質量％であることが好ましい。
【００１５】
本発明において、液体香料保持基材の意匠性（デザイン性）を向上させるために、様々な形状に加工したり、色彩を付与することが好ましい。特に立体的な形状に加工することにより、装身具としての価値を大幅に高めることができる。立体的な形状に加工する方法は特に限定されるものではないが、例えば、シート状の液体香料保持基材を熱プレスなどで加工する方法を挙げることができる。
【００１６】
本発明において、液体香料保持基材の重量が３０〜３００ｇ／ｍ２、厚さが５０〜１０００μｍ、且つ面積が５０〜１００００ｍｍ２とすることが、液体香料保持性及び徐放性や、芳香性装身具とした際の軽さの点から好ましい。
（液体香料）
本発明において、液体香料は、香り成分を含む液体であれば特に限定はなく、アロマオイル、エッセンシャルオイル、フレグランスオイル、香水等が挙げられる。また、液体香料には、悪臭を抑える消臭性液体が含まれる。これらの液体香料は、浸漬、滴下、噴霧等によって液体香料保持基材に含浸させて使用する。
【００１７】
（装着部について）
本発明において、装着部とは液体香料保持基材を使用者の体に取り付けるための治具である。装着部の素材は特に限定されるものではなく、例えば、金、銀、プラチナなどの金属、各種プラスチック、木材、革、各種繊維、天然石などが挙げられる。また、その形状も特に限定されるものではなく、例えば、様々なアクセサリーの形状やヘアピン、ハンドバッグのチャームやブローチの形状などが挙げられる。
（取付け部）
本発明において、取付け部とは、液体香料保持基材と装着部を結合させるための治具である。取付け部を用いることで、芳香性装身具の装着性が向上する。例えば、耳飾り（ピアス）の場合、耳と液体香料保持基材の距離をコントロールできるため、装着時に液体香料保持基材が耳に触れることを制御できる。
【００１８】
取付け部の素材は特に限定されるものではなく、例えば、金、銀、プラチナなどの金属、各種プラスチック、木材、革、各種繊維、天然石などが挙げられる。また、その形状も特に限定されるものではなく、例えば、様々なアクセサリーの形状やヘアピン、ハンドバッグのチャームやブローチの形状などが挙げられる。
【００１９】
（芳香性装身具の例）
図１は、液体香料保持基材（１１）、装着部（４１）、取付部（２１及び３１）からなる芳香性装身具１（ピアス）である。
液体香料保持基材（１１）は、ピンクに着色した熱可塑性繊維を含む多孔性シートを花びら状に金型及び熱プレスを用い立体成型したものである。金属製の装着部（４１）は、金属製の取付け部（２１及び３１）を介し、液体香料保持基材を結合されている。
【００２０】
図１に示した芳香性装身具１は、液体保持基材（１１）に、液体香料を適量滴下して保持させ、ユーザーが身に着けた際に、液体保持基材が保持した芳香性液体が徐放することによって、芳香性装身具として作用する。
【００２１】
図２のネックレスで例示している液体保持基材１２、緑色に着色した多孔性シートを、木の葉の形状に裁断し、金型と熱プレスによって立体成型したものである。
革製の装着部は、プラスチック製の取付け部を介し、液体香料保持基材を結合されている。
【実施例】
【００２２】
＜実施例１＞
ピンク色に着色した目付５２ｇ／ｍ２、厚さ８０μｍのポリエステル繊維からなるタフタ生地（平織）に、ポリビニルアルコールを主成分とした糊剤水溶液を固形分で０．５ｇ／ｍ２になるように塗布・乾燥した後、所望する形状に打抜き断裁し、さらに所望する形状の凸型と凹型の型を取付けた熱プレス機を用い、型の温度１４０℃とし、プレス機の圧力を１ｋｇ／ｃｍ２として、１秒間熱プレス成形することで、花びら型の液体保持基材１１（１１６０ｍｍ２）を得た。次いで、装着部（４１）を、取付け部（２１及び３１）を介して液体保持基材１１を取り付け、芳香性装身具１（ピアス）とした。
【００２３】
＜実施例２＞
緑色に着色した目付１１５ｇ／ｍ２、厚さ２００μｍのポリエステル繊維からなるサテン生地（朱子織）に、ポリ酢酸ビニルを主成分とした糊剤エマルジョンを固形分で２．０ｇ／ｍ２になるように塗布・乾燥した後、所望する形状に打抜き断裁し、さらに木の葉の形状の凸型と凹型の型を取付けた熱プレス機を用い、型の温度１６０℃とし、プレス機の圧力を２ｋｇ／ｃｍ２として、１秒間熱プレス成形することで、木の葉型の液体保持基材１２（１６５０ｍｍ２）を得た。次いで、装着部（４２）を、取付け部（２２及び３２）を介して液体保持基１２を取り付け、芳香性装身具２（ネックレス）とした。
【００２４】
＜実施例３＞  
花びら型の液体香料保持基材１１を、ＮＢＫＰ６６％、ポリプロピレン繊維３２％、ポリビニルアルコールバインダー繊維２％からなる坪量７０ｇ／ｍ２、厚さ２１０μｍの湿式不織布（白色）に変更した以外は、実施例１と同様にして、芳香性装身具３（ピアス）を作成した。
【００２５】
本発明に係る芳香性装身具によれば、液体保持基材が芳香性液体を保持・徐放することで、装飾と同時に香りを楽しむことができ、また、液体保持基材が軽く柔らかいため、使用者への負担が少なく、更に薄さや大きさの面で形状選定の自由度が高く意匠性に優れた芳香性装身具を得ることができる。
【図１】
2017189244.tif 000003
【図２】
2017189244.tif 000004